(57)【特許請求の範囲】
【請求項１】
内部に内容物を収納し開口部周縁にフランジ部を設けた容器本体と、
前記フランジ部にヒートシールされて前記開口部を塞ぐ可塑性の材料で形成された蓋体
と、
前記フランジ部と該フランジ部に対向する蓋体の部位との間であって前記開口部に沿っ
て環状にヒートシールされた環状シール帯部と、
この環状シール帯部の一部にはヒートシールをしない非シール部が形成され、この非シ
ール部の周囲は前記環状シール帯部のヒートシール域内にあり、
前記フランジ部であって前記非シール部が位置する部位に前記フランジ部を上下に貫通
する貫通孔を設け、
加熱調理前は、前記内容物を前記環状シール帯部により外気と遮断し、
電子レンジによる加熱調理時は、前記容器本体内の内圧の上昇により前記蓋体を外側に
膨出させて前記環状シール帯部の一部を剥離させ、この剥離した部位と前記貫通孔とを介
して外気と導通させると共に剥離をしていない前記環状シール帯部の部位により前記蓋体
を支持させ、
加熱調理の終了後、前記蓋体の外側に膨出した形状を保持してこの蓋体が前記貫通孔を
塞ぐのを防ぐことを特徴とする電子レンジ用包装容器の潰れ防止方法。
【請求項２】
フランジ部上面の一部において該フランジ部の周方向に部分的に突出して形成された第
１の凸状部と、
前記フランジ部上面において前記第１の凸状部の外側であって前記フランジ部の周方向
に部分的に突出して形成された第２の凸状部とを有し、
貫通孔は、前記第１の凸状部と前記第２の凸状部との間の突出していない前記フランジ
部の部位に設けられ、
環状シール帯部は、前記第１の凸状部上端と前記第２の凸状部上端を含むヒートシール
域であり、
非シール部は、前記第１の凸状部と前記第２の凸状部との間の突出していない前記フラ
ンジ部の部位に設けられていることを特徴とする請求項１記載の電子レンジ用包装容器の
潰れ防止方法。
【請求項３】
内部に内容物を収納し開口部周縁にフランジ部を設けた容器本体と、
前記フランジ部にヒートシールされて前記開口部を塞ぐ可塑性の材料で形成された蓋体
と、
前記フランジ部と該フランジ部に対向する蓋体の部位との間であって前記開口部に沿っ
て環状にヒートシールされた複数の環状シール部と、
この複数の環状シール部は、第１の環状シール部とこの第１の環状シール部の外側に位
置する第２の環状シール部とを有し、
前記フランジ部の前記第１の環状シール部と前記第２の環状シール部との間に位置する
部位に前記フランジ部を上下に貫通する貫通孔を設け、
加熱調理前は、前記内容物を前記第１の環状シール部により外気と遮断し、
電子レンジによる加熱調理時は、前記容器本体内の内圧の上昇により前記蓋体を外側に
膨出させて前記第１の環状シール部を剥離させ、この剥離した部位と前記貫通孔とを介し
て外気と導通させると共に前記第２の環状シール部のシールを保持してこの第２の環状シ
ール部により前記蓋体を支持させ、
加熱調理の終了後、前記蓋体の外側に膨出した形状を保持してこの蓋体が前記貫通孔を
塞ぐのを防ぐことを特徴とする電子レンジ用包装容器の潰れ防止方法。
【請求項４】
フランジ部上面において該フランジ部の周方向に環状に突出して形成された第１の凸状
部と、前記フランジ部上面において前記第１の凸状部の外側であって前記フランジ部の周
方向に環状に突出して形成された第２の凸状部とを有し、
貫通孔は、前記第１の凸状部と前記第２の凸状部との間の突出していない前記フランジ
部の部位に設けられ、
第１の環状シール部は、前記第１の凸状部上端を含むヒートシール域であり、第２の環
状シール部は、前記第２の凸状部上端を含むヒートシール域であることを特徴とする請求
項３記載の電子レンジ用包装容器の潰れ防止方法。
【請求項５】
内部に内容物を収納し開口部周縁にフランジ部を設けた容器本体と、
この容器本体の前記開口部を塞ぐ可塑性の材料で形成された蓋体とを備え、
前記容器本体は、前記フランジ部上面の一部において該フランジ部の周方向に部分的に突出して形成された第1の凸状部と、前記フランジ部上面において前記第１の凸状部の外側であって前記フランジ部の周方向に部分的に突出して形成された第２の凸状部と、前記第１の凸状部と前記第２の凸状部との間の突出していない前記フランジ部の部位に設けられ前記フランジ部を上下に貫通する一または二以上の貫通孔とを有し、
前記蓋体は、前記フランジ部上面において前記第１の凸状部および前記第２の凸状部の上端を介して前記フランジ部の周方向に環状にヒートシールされ、かつ、前記フランジ部上面であって、前記第１の凸状部と前記第２の凸状部との間の部位はヒートシールされておらず、
電子レンジで加熱調理したとき、前記容器本体内の内圧の上昇により前記蓋体が外側に膨出して前記第１の凸状部において前記蓋体が剥離し、前記貫通孔を介して上昇した内圧を逃圧させ、
外側に膨出して塑性変形した前記蓋体が前記第２の凸状部に支持されて前記第１の凸状部に張り付くのを防ぐことを特徴とする電子レンジ用包装容器。
【請求項６】
内部に内容物を収納し開口部周縁にフランジ部を設けた容器本体と、
この容器本体の前記開口部を塞ぐ可塑性の材料で形成された蓋体とを備え、
前記容器本体は、前記フランジ部上面において該フランジ部の周方向に環状に突出して形成された第１の凸状部と、前記フランジ部上面において前記第１の凸状部の外側であって前記フランジ部の周方向に環状に突出して形成された第２の凸状部と、前記第１の凸状部と前記第２の凸状部との間の突出していない前記フランジ部の部位に設けられ前記フランジ部を上下に貫通する一または二以上の貫通孔と有し、
前記蓋体は、前記フランジ部の前記第１および第２の凸状部上端においてそれぞれ環状にヒートシールされており、
電子レンジで加熱調理したとき、前記容器本体内の内圧の上昇により前記蓋体が外側に膨出して前記第１の凸状部において前記蓋体が剥離し、前記貫通孔を介して上昇した内圧を逃圧させ、
外側に膨出して塑性変形した前記蓋体が前記第２の凸状部に支持されて前記第１の凸状部に張り付くのを防ぐ
ことを特徴とする電子レンジ用包装容器。
【請求項７】
フランジ部における第１の凸状部上端の高さは、第２の凸状部上端の高さよりも低いこ
とを特徴とする請求項５または６記載の電子レンジ用包装容器。
【請求項８】
第１の凸状部と蓋体とのヒートシール強度は、第２の凸状部と蓋体とのヒートシール強
度よりも小さいことを特徴とする請求項５〜７のいずれか１項に記載の電子レンジ用包装
容器。
【請求項９】
第１の凸状部は、この第１の凸状部の一部がフランジ部において容器本体の内側に向か
って張り出す張出部を有していることを特徴とする請求項５〜８のいずれか１項に記載の
電子レンジ用包装容器。
【発明の詳細な説明】
【技術分野】
【０００１】
本発明は、電子レンジを用いて食品等の内容物を加熱調理する際に、加熱調理前に逃圧
用の孔を開けることなく、そのままの状態で調理することができると共に、加熱調理後に
内容物や包装容器が冷めて内部が減圧しても、該減圧により包装容器が潰れることを防止
できる電子レンジ用包装容器および電子レンジ用包装容器の潰れ防止方法に関する。
【背景技術】
【０００２】
従来、電子レンジにより食品等の内容物の入った包装容器を加熱調理する際には、加熱
調理により内圧が上昇して包装容器が破裂するのを防止するため、加熱調理前にあらかじ
め蓋体の一部を剥がして通気口を形成した後、加熱調理を行ったり、蓋体に易剥離性シー
ル等の通気手段を設けて内圧の上昇により自動的に通気口を形成したりするようにしてい
た（例えば、特許文献１の図１参照）。
【特許文献１】特開２００４−３３１１５６号公報
【発明の開示】
【発明が解決しようとする課題】
【０００３】
しかしながら、上述したような包装容器にあっては、加熱調理後に、通気した水蒸気等
の水滴が蓋体や易剥離性シールに付着して一旦形成された通気口を再度塞いでしまい、包
装容器や内容物が冷めるにつれて内部が減圧され、包装容器が外圧に耐えきれずに変形し
て潰れてしまうという問題点があった。
【０００４】
本発明は、上述した問題点を解決するためになされたものである。
【課題を解決するための手段】
【０００５】
請求項１に係る発明は、内部に内容物を収納し開口部周縁にフランジ部を設けた容器本
体と、前記フランジ部にヒートシールされて前記開口部を塞ぐ可塑性の材料で形成された蓋体と、前記フランジ部と該フランジ部に対向する蓋体の部位との間であって前記開口部に沿って環状にヒートシールされた環状シール帯部と、この環状シール帯部の一部にはヒートシールをしない非シール部が形成され、この非シール部の周囲は前記環状シール帯部のヒートシール域内にあり、前記フランジ部であって前記非シール部が位置する部位に前記フランジ部を上下に貫通する貫通孔を設け、加熱調理前は、前記内容物を前記環状シール帯部により外気と遮断し、電子レンジによる加熱調理時は、前記容器本体内の内圧の上昇により前記蓋体を外側に膨出させて前記環状シール帯部の一部を剥離させ、この剥離した部位と前記貫通孔とを介して外気と導通させると共に剥離をしていない前記環状シール帯部の部位により前記蓋体を支持させ、加熱調理の終了後、前記蓋体の外側に膨出した形状を保持してこの蓋体が前記貫通孔を塞ぐのを防ぐ電子レンジ用包装容器の潰れ防止方法である。
【０００６】
請求項２に係る発明は、請求項１記載の電子レンジ用包装容器の潰れ防止方法において
、フランジ部上面の一部において該フランジ部の周方向に部分的に突出して形成された第
１の凸状部と、前記フランジ部上面において前記第１の凸状部の外側であって前記フランジ部の周方向に部分的に突出して形成された第２の凸状部とを有し、貫通孔は、前記第１の凸状部と前記第２の凸状部との間の突出していない前記フランジ部の部位に設けられ、環状シール帯部は、前記第１の凸状部上端と前記第２の凸状部上端を含むヒートシール域であり、非シール部は、前記第１の凸状部と前記第２の凸状部との間の突出していない前記フランジ部の部位に設けられているものである。
【０００７】
請求項３に係る発明は、内部に内容物を収納し開口部周縁にフランジ部を設けた容器本
体と、前記フランジ部にヒートシールされて前記開口部を塞ぐ可塑性の材料で形成された蓋体と、前記フランジ部と該フランジ部に対向する蓋体の部位との間であって前記開口部に沿って環状にヒートシールされた複数の環状シール部と、この複数の環状シール部は、第１の環状シール部とこの第１の環状シール部の外側に位置する第２の環状シール部とを有し、前記フランジ部の前記第１の環状シール部と前記第２の環状シール部との間に位置する部位に前記フランジ部を上下に貫通する貫通孔を設け、加熱調理前は、前記内容物を前記第１の環状シール部により外気と遮断し、電子レンジによる加熱調理時は、前記容器本体内の内圧の上昇により前記蓋体を外側に膨出させて前記第１の環状シール部を剥離させ、この剥離した部位と前記貫通孔とを介して外気と導通させると共に前記第２の環状シール部のシールを保持してこの第２の環状シール部により前記蓋体を支持させ、加熱調理の終了後、前記蓋体の外側に膨出した形状を保持してこの蓋体が前記貫通孔を塞ぐのを防ぐ電子レンジ用包装容器の潰れ防止方法である。
【０００８】
請求項４に係る発明は、請求項３記載の電子レンジ用包装容器の潰れ防止方法において
、フランジ部上面において該フランジ部の周方向に環状に突出して形成された第１の凸状
部と、前記フランジ部上面において前記第１の凸状部の外側であって前記フランジ部の周
方向に環状に突出して形成された第２の凸状部とを有し、貫通孔は、前記第１の凸状部と
前記第２の凸状部との間の突出していない前記フランジ部の部位に設けられ、第１の環状
シール部は、前記第１の凸状部上端を含むヒートシール域であり、第２の環状シール部は
、前記第２の凸状部上端を含むヒートシール域である。
【０００９】
請求項５に係る発明は、内部に内容物を収納し開口部周縁にフランジ部を設けた容器本体と、この容器本体の前記開口部を塞ぐ可塑性の材料で形成された蓋体とを備え、前記容器本体は、前記フランジ部上面の一部において該フランジ部の周方向に部分的に突出して形成された第1の凸状部と、前記フランジ部上面において前記第１の凸状部の外側であって前記フランジ部の周方向に部分的に突出して形成された第２の凸状部と、前記第１の凸状部と前記第２の凸状部との間の突出していない前記フランジ部の部位に設けられ前記フランジ部を上下に貫通する一または二以上の貫通孔とを有し、前記蓋体は、前記フランジ部上面において前記第１の凸状部および前記第２の凸状部の上端を介して前記フランジ部の周方向に環状にヒートシールされ、かつ、前記フランジ部上面であって、前記第１の凸状部と前記第２の凸状部との間の部位はヒートシールされておらず、電子レンジで加熱調理したとき、前記容器本体内の内圧の上昇により前記蓋体が外側に膨出して前記第１の凸状部において前記蓋体が剥離し、前記貫通孔を介して上昇した内圧を逃圧させ、側に膨出して塑性変形した前記蓋体が前記第２の凸状部に支持されて前記第１の凸状部に張り付くのを防ぐ電子レンジ用包装容器である。
【００１０】
請求項６に係る発明は、内部に内容物を収納し開口部周縁にフランジ部を設けた容器本体と、この容器本体の前記開口部を塞ぐ可塑性の材料で形成された蓋体とを備え、前記容器本体は、前記フランジ部上面において該フランジ部の周方向に環状に突出して形成された第１の凸状部と、前記フランジ部上面において前記第１の凸状部の外側であって前記フランジ部の周方向に環状に突出して形成された第２の凸状部と、前記第１の凸状部と前記第２の凸状部との間の突出していない前記フランジ部の部位に設けられ前記フランジ部を上下に貫通する一または二以上の貫通孔と有し、前記蓋体は、前記フランジ部の前記第１および第２の凸状部上端においてそれぞれ環状にヒートシールされており、電子レンジで加熱調理したとき、前記容器本体内の内圧の上昇により前記蓋体が外側に膨出して前記第１の凸状部において前記蓋体が剥離し、前記貫通孔を介して上昇した内圧を逃圧させ、外側に膨出して塑性変形した前記蓋体が前記第２の凸状部に支持されて前記第１の凸状部に張り付くのを防ぐ電子レンジ用包装容器である。
【００１１】
請求項７に係る発明は、請求項５または６記載の電子レンジ用包装容器において、フラ
ンジ部における第１の凸状部上端の高さは、第２の凸状部上端の高さよりも低いものであ
る。
【００１２】
請求項８に係る発明は、請求項５〜７のいずれか１項に記載の電子レンジ用包装容器に
おいて、第１の凸状部と蓋体とのヒートシール強度は、第２の凸状部と蓋体とのヒートシ
ール強度よりも小さいものである。
【００１３】
請求項９に係る発明は、請求項５〜８のいずれか１項に記載の電子レンジ用包装容器に
おいて、第１の凸状部は、この第１の凸状部の一部がフランジ部において容器本体の内側
に向かって張り出す張出部を有しているものである。
【発明の効果】
【００１４】
請求項１に記載の電子レンジ用包装容器の潰れ防止方法によれば、フランジ部と該フランジ部に対向する蓋体の部位との間であって開口部に沿って環状にヒートシールされた環状シール帯部と、この環状シール帯部の一部にはヒートシールをしない非シール部が形成され、この非シール部の周囲は前記環状シール帯部のヒートシール域内にあり、前記フランジ部であって前記非シール部が位置する部位に前記フランジ部を上下に貫通する貫通孔を設け、電子レンジによる加熱調理時は、前記容器本体内の内圧の上昇により前記蓋体を外側に膨出させて前記環状シール帯部の一部を剥離させ、この剥離した部位と前記貫通孔とを介して外気と導通させるため、容器本体内の内圧が上昇しても、蓋体の剥離により形成した隙間から逃圧させて容器の破裂や内容物の吹き溢れを防止することができ、しかも、剥離をしていない環状シール帯部の部位により蓋体を支持させ、加熱調理の終了後、可塑性の材料で形成された蓋体の外側に膨出した形状を保持してこの蓋体が貫通孔を塞ぐのを防ぐため、容器本体および内容物が冷めても容器本体内部が負圧となって容器が潰れるのを防止することができる。
【００１５】
請求項２に記載の電子レンジ用包装容器の潰れ防止方法によれば、請求項１に記載の電子レンジ用包装容器の潰れ防止方法の効果に加え、フランジ部上面の一部において該フランジ部の周方向に部分的に突出して形成された第１の凸状部と、前記フランジ部上面において前記第１の凸状部の外側であって前記フランジ部の周方向に部分的に突出して形成された第２の凸状部とを有し、貫通孔は、前記第１の凸状部と前記第２の凸状部との間の突出していない前記フランジ部の部位に設けられているため、電子レンジによる加熱調理時は、容器本体内の内圧の上昇により蓋体を外側に膨出させて環状シール帯部の一部を第１の凸状部上端から剥離させ、この蓋体の剥離により形成した隙間から逃圧させて容器の破裂や内容物の吹き溢れを防止することができ、しかも、加熱調理の終了後、可塑性の材料で形成された蓋体の外側に膨出した形状を保持すると共にこの蓋体を第２の凸状部により支持させて蓋体が前記貫通孔を塞ぐのを防ぐため、容器本体および内容物が冷めても容器本体内部が負圧となって容器が潰れるのを防止することができる。
【００１６】
請求項３に記載の電子レンジ用包装容器の潰れ防止方法によれば、フランジ部と該フランジ部に対向する蓋体の部位との間であって開口部に沿って環状にヒートシールされた複数の環状シール部と、この複数の環状シール部は、第１の環状シール部とこの第１の環状シール部の外側に位置する第２の環状シール部とを有し、前記フランジ部の前記第１の環状シール部と前記第２の環状シール部との間に位置する部位に前記フランジ部を上下に貫通する貫通孔を設け、電子レンジによる加熱調理時は、前記容器本体内の内圧の上昇により前記蓋体を外側に膨出させて前記第１の環状シール部を剥離させ、この剥離した部位と前記貫通孔とを介して外気と導通させるため、容器本体内の内圧が上昇しても、蓋体の剥離により形成した隙間から逃圧させて容器の破裂や内容物の吹き溢れを防止することができ、しかも、第２の環状シール部のシールを保持してこの第２の環状シール部により蓋体を支持させ、加熱調理の終了後、可塑性の材料で形成された蓋体の外側に膨出した形状を保持してこの蓋体が貫通孔を塞ぐのを防ぐため、容器本体および内容物が冷めても容器本体内部が負圧となって容器が潰れるのを防止することができる。
【００１７】
請求項４に記載の電子レンジ用包装容器の潰れ防止方法によれば、請求項３に記載の電子レンジ用包装容器の潰れ防止方法の効果に加え、フランジ部上面において該フランジ部の周方向に環状に突出して形成された第１の凸状部と、前記フランジ部上面において前記第１の凸状部の外側であって前記フランジ部の周方向に環状に突出して形成された第２の凸状部とを有し、貫通孔は、前記第１の凸状部と前記第２の凸状部との間の突出していない前記フランジ部の部位に設けられているため、電子レンジによる加熱調理時は、容器本体内の内圧の上昇により蓋体を外側に膨出させて第１の環状シール部を第１の凸状部上端から剥離させ、この蓋体の剥離により形成した隙間から逃圧させて容器の破裂や内容物の吹き溢れを防止することができ、しかも、加熱調理の終了後、可塑性の材料で形成された蓋体の外側に膨出した形状を保持すると共にこの蓋体を第２の凸状部により支持させて蓋体が前記貫通孔を塞ぐのを防ぐため、容器本体および内容物が冷めても容器本体内部が負圧となって容器が潰れるのを防止することができる。
【００１８】
請求項５に記載の電子レンジ用包装容器によれば、容器本体は、フランジ部上面の一部において該フランジ部の周方向に部分的に突出して形成された第１の凸状部と、前記フランジ部上面において前記第1の凸状部の外側であって前記フランジ部の周方向に部分的に突出して形成された第２の凸状部と、前記第１の凸状部と前記第２の凸状部との間の突出していない前記フランジ部の部位に設けられ前記フランジ部を上下に貫通する一または二以上の貫通孔とを有し、蓋体は、前記フランジ部上面において前記第１の凸状部および前記第２の凸状部の上端を介して前記フランジ部の周方向に環状にヒートシールされ、かつ、前記フランジ部上面であって、前記第１の凸状部と前記第２の凸状部との間の部位はヒートシールされていないため、
電子レンジで加熱調理したとき、包装容器内の内圧の上昇により蓋体が外側に膨出して第１の凸状部において蓋体が剥離し、貫通孔を介して上昇した内圧を逃圧させることができ、しかも、蓋体は可塑性の材料で形成されているため、加熱調理後に包装容器や内容物が冷めても、外側に膨出して塑性変形した蓋体が第２の凸状部に支持されて第１の凸状部に張り付くのを防ぎ、前述の貫通孔を介した外気の円滑な取り込みにより内部が負圧となって容器が潰れるのを防止することができる。 
【００１９】
請求項６に記載の電子レンジ用包装容器によれば、容器本体は、フランジ部上面において該フランジ部の周方向に環状に突出して形成された第１の凸状部と、前記フランジ部上面において前記第１の凸状部の外側であって前記フランジ部の周方向に環状に突出して形成された第２の凸状部と、前記第1の凸状部と前記第２の凸状部との間の突出していない前記フランジ部の部位に設けられ前記フランジ部を上下に貫通する一または二以上の貫通孔と有し、蓋体は、前記フランジ部の前記第１および第２の凸状部上端においてそれぞれ環状にヒートシールされているため、電子レンジで加熱調理したとき、包装容器内の内圧の上昇により蓋体が外側に膨出して第１の凸状部において蓋体が剥離し、貫通孔を介して上昇した内圧を逃圧させることができ、しかも、蓋体は可塑性の材料で形成されているため、加熱調理後に包装容器や内容物が冷めても、外側に膨出して塑性変形した蓋体が第２の凸状部に支持されて第１の凸状部に張り付くのを防ぎ、貫通孔を介した外気の円滑な取り込みにより内部が負圧となって容器が潰れるのを防止することができる。
【００２０】
請求項７に記載の電子レンジ用包装容器によれば、請求項５または６に記載の電子レンジ用包装容器の効果に加え、フランジ部における第１の凸状部上端の高さは、第２の凸状部上端の高さよりも低いため、その分、加熱調理後に包装容器や内容物が冷めても、外側に膨出して塑性変形した蓋体が第１の凸状部に張り付き難くなり、貫通孔を介した外気の円滑な取り込みにより内部が負圧となって容器が潰れるのをより確実に防止することができる。
【００２１】
請求項８に記載の電子レンジ用包装容器によれば、請求項５〜７に記載の電子レンジ用包装容器の効果に加え、第１の凸状部と蓋体とのヒートシール強度は、第２の凸状部と蓋体とのヒートシール強度よりも小さいため、電子レンジで加熱調理したとき、第２の凸状部において蓋体のヒートシールを保持させつつ、第１の凸状部では蓋体の剥離をより確実に行うことができる。
【００２２】
請求項９に記載の電子レンジ用包装容器によれば、請求項５〜８に記載の電子レンジ用包装容器の効果に加え、第１の凸状部は、この第１の凸状部の一部がフランジ部において容器本体の内側に向かって張り出す張出部を有しているため、電子レンジで加熱調理したとき、上昇した内圧による蓋体への剥離応力が第１の凸状部の張出部に集中し、この張出部を起点として蓋体を第１の凸状部から容易に剥離させることができ、より確実に逃圧を行うことができる。
【発明を実施するための最良の形態】
【００２３】
本発明の第１の実施例を、図１〜３に基づき説明する。図１〜３において、Ａは本発明
に係る電子レンジ用包装容器であり、電子レンジ用包装容器Ａは、概略的に、容器本体１
と、蓋体２とにより構成される。
【００２４】
容器本体１は、図１に示したように、内部に食品等の内容物ｂを収納し容器本体１の開口部周縁にフランジ部１５を設けたものであり、フランジ部１５上面の一部において該フランジ部１５の周方向に部分的に突出して形成された第１の凸状部１１と、フランジ部１５上面において第１の凸状部１１の外側であってフランジ部１５の周方向に部分的に突出して形成された第２の凸状部１２と、第１の凸状部１１と第２の凸状部１２との間の突出していないフランジ部１５の部位に設けられフランジ部１５を上下に貫通する一または二以上の貫通孔１６とを有している（図１では二の貫通孔１６、１６を例示）。
【００２５】
この容器本体１は、ポリエチレン系、ポリプロピレン系、ポリスチレン系、ポリエステ
ル系、ポリカーボネイト系若しくはポリスチレン系樹脂、若しくはこれらをブレンドした
もの、又はこれらの材料とポリビニルアルコール共重合体との複合層からなるものであり
、その形状は、例えば、図１に示したように、箱状に形成される。
【００２６】
前述の第１の凸状部１１および第２の凸状部１２は、図２（ａ）、（ｂ）に示したよう
に、フランジ部１５の内端縁に略平行に設けられ、例えば、容器本体１のフランジ部１５
の一部を、該容器本体１の成形時に上方に向かって凸形状となうように成形して用いる。
これらの第１および第２の凸状部１１、１２の高さはフランジ部１５の基部に対して０．
５ｍｍ〜３．０ｍｍ程度突設しているのが好ましく、また、第１の凸状部１１と第２の凸
状部１２との間隙の幅寸法は１．５ｍｍ〜４．５ｍｍ程度であって、この間隙における貫
通孔１６のフランジ部１５幅方向の寸法は１．０ｍｍ〜４．０ｍｍ程度であるであるのが
好ましい。
【００２７】
なお、第１および第２の凸状部１１、１２の形状は、図２（ｂ）に示したように、いず
れも上端が略水平面形状であってもよいが、図２（ｃ）に示したように、第１の凸状部１
１の上端の形状を、フランジ部１５の幅方向において上方に向かって凸状に湾曲する形状
とし、かつ、第２の凸状部１２の上端の形状を、略水平面形状になるようにしてもよい。
また、第１および第２の凸状部１１、１２の周方向の両端部は、図１に示したように、そ
れぞれ傾斜面を設けて第１および第２の凸状部１１、１２の上端とフランジ部１５の上面
とが段差なく連続的して蓋体２とヒートシールするのが好ましい。更に、貫通孔１６の形
状は、平面視で円形やスロット形状など、気体（水蒸気および空気）の流通が円滑に行わ
れる限り種々の形状にすることができる。
【００２８】
前述の蓋体２は、容器本体１の開口部を塞ぐものであり、図１の容器本体１のフランジ
部１５においてハッチングで図示したように、フランジ部１５上面において第１の凸状部
１１および第２の凸状部１２の上端を介してフランジ部１５の周方向に環状にヒートシー
ルされ、フランジ部１５と該フランジ部１５に対向する蓋体２の部位との間であって開口
部に沿って第１の凸状部１１上端と第２の凸状部１２上端をヒートシール域に含む環状シ
ール帯部３０ａを形成し、かつ、フランジ部１５上面であって、第１の凸状部１１と第２
の凸状部１２との間の突出していないフランジ部１５の部位はヒートシールされておらず
、環状シール帯部３０ａの一部にヒートシールをしない非シール部３０ｂを形成している
。この非シール部３０ｂの周囲は、環状シール帯部３０ａのヒートシール域内にあり、ま
た、前述の貫通孔１６は、フランジ部１５であって非シール部３０ｂが位置する部位に設
けられている。
【００２９】
また、蓋体２は、塑性変形できるように可塑性の材料で形成されており、例えば、二軸
延伸ポリプロピレンフィルム、二軸延伸６ナイロンフィルム、二軸延伸ポリエチレンテレ
フタレートフィルム、無延伸ポリプロピレン若しくは無延伸ポリエステル、又はこれらの
複合フィルムからなる基材が用いられ、好ましくは、この基材の最内層（フランジ部１５
側）に、例えば、特開平４−９４９３３号公報に開示されているような、イージーピーラ
ブルとなるシーラントフィルムを積層させてあるものを用いることができる。このシーラ
ントフィルム層と前述のフランジ部１５上面の部位とがヒートシールされ、容器本体１内
が密封されるものであり、ヒートシール強度は、例えば、内圧強度で、５〜５０ＫＰａ程
度を有する。なお、シーラントフィルム層は、フランジ部１５側に設けてもよい。
【００３０】
次に、前述のように構成される本発明の実施例に係る電子レンジ用包装容器Ａの作用に
ついて図３に基づき説明する。図３において（ａ）は加熱調理前の状態を示しており、第
１の凸状部１１と蓋体２、および、第２の凸状部１２と蓋体２とがそれぞれヒートシール
され、電子レンジ用包装容器Ａ内の内容物ｂは環状シール帯部３０ａにより外気から遮断
されている。
【００３１】
そして、この電子レンジ用包装容器Ａを電子レンジ（図示せず）内に入れて加熱調理を
開始すると、電子レンジによる加熱調理時は、図３（ｂ）に示したように、内容物ｂが加
熱されて水蒸気が放出され、また、容器本体１内に内在している空気や不活性ガス等が昇
温して膨張し、該容器本体１内の内圧の上昇により矢印で図示したように蓋体２が外側に
膨出して環状シール帯部３０ａの一部を剥離させ（図３（ｃ）参照）、そして、蓋体２と
第１の凸状部１１との間に隙間Ｓが形成されると、この剥離した部位（隙間Ｓ）と貫通孔
１６とを介して外気と導通し、容器本体１内の気体（水蒸気や空気、不活性ガス等）が外
部に放出される（矢印ｄ１参照）。
【００３２】
そして、加熱調理の終了後は、内容物ｂおよび電子レンジ用包装容器Ａが冷めて容器本
体１内の気体が収縮して減圧状態となる。ここで、蓋体２は可塑性の材料で形成されてお
り、外側に膨出した形状が保持され、剥離をしていない環状シール帯部３０ａの部位によ
り蓋体２が支持されているため、蓋体２が貫通孔１６を塞ぐのを防ぎ、図３（ｄ）に示し
たように、隙間Ｓおよび貫通孔１６を介して外気が容器本体１内に取り込まれる（矢印ｄ
２参照）。したがって、容器本体１内が減圧状態となっても外気の取り込みにより電子レ
ンジ用包装容器Ａが外圧（大気圧）により潰れて変形するのを防止することができる。
【００３３】
そして、図３（ｅ）に示したように、蓋体２の端部を指で摘んで容器本体１から剥せば
加熱調理済みの内容物ｂを取り出すことができる。
【００３４】
次に、本発明の第２の実施例について、上述した第１の実施例と同一部分に同一符号を
付して、図４に基づき説明する。この第２の実施例は、前述の第１の実施例の第1の凸状
部１１と第２の凸状部１２とをフランジ部の周方向に環状に形成したものであり、容器本
体１の材料、蓋体２の材料及び形状に係る構成、および、作用については第１の実施例と
同様であるため、詳細な説明は省略する。
【００３５】
第２の実施例において、容器本体１は、図４に示したように、フランジ部１５上面にお
いて該フランジ部１５の周方向に環状に突出して形成された第１の凸状部１１’と、フラ
ンジ部１５上面において第１の凸状部１１’の外側であってフランジ部１５の周方向に環
状に突出して形成された第２の凸状部１２’と、第１の凸状部１１’と第２の凸状部１２
’との間の突出していないフランジ部１５の部位に設けられフランジ部１５を上下に貫通
する一または二以上の貫通孔１６と有し、蓋体２は、フランジ部１５の第１および第２の
凸状部１１’、１２’上端においてそれぞれ環状にヒートシール（図４のハッチング部参
照）されている。
【００３６】
そして、フランジ部１５と該フランジ部１５に対向する蓋体２の部位との間には、容器
本体１の開口部に沿って環状にヒートシールされた複数の環状シール部が形成され、この
複数の環状シール部は、第１の凸状部１１’上端をヒートシール域に含む第１の環状シー
ル部３１と、この第１の環状シール部３１の外側に位置し第２の凸状部１２’上端をヒー
トシール域に含む第２の環状シール部３２とを有している。また、貫通孔１６は、フラン
ジ部１５の第１の環状シール部３１と第２の環状シール部３２との間に位置する部位に設
けられている。
【００３７】
ところで、上述した第１の凸状部１１、１１’および第２の凸状部１２、１２’の形状
、ヒートシール強度は、以下に説明する態様にして採用することもできる。すなわち、図
５（ａ）、（ｂ）に示したように、フランジ部１５における第１の凸状部１１、１１’上
端の高さＬ１を、第２の凸状部１２、１２’上端の高さＬ２よりも低くする構成としても
よい。この構成の電子レンジ用包装容器Ａにあっては、第１の凸状部１１、１１’上端の
高さＬ１が第２の凸状部１２、１２’上端の高さＬ２よりも低い分、図５（ｃ）に示した
ように、蓋体２の剥離により形成された隙間Ｓをより一層広くすることができ、加熱調理
後に電子レンジ用包装容器Ａや内容物ｂが冷めても、外側に膨出して塑性変形した蓋体２
が第１の凸状部１１、１１’に張り付き難くなり、貫通孔１６を介した外気の円滑な取り
込みにより容器本体１内が負圧となって容器が潰れるのをより確実に防止することができ
る。
【００３８】
また、第２の凸状部１２、１２’において蓋体２のヒートシールを保持させつつ、第１
の凸状部１１、１１’では蓋体２の剥離をより確実に行うことができるように、第１の凸
状部１１、１１’と蓋体２とのヒートシール強度を第２の凸状部１２、１２’と蓋体２と
のヒートシール強度よりも小さくしてもよい。
【００３９】
また、図６（ａ）、（ｂ）、（ｃ）に示したように、第１の凸状部１１、１１’は、こ
の第１の凸状部１１、１１’の一部がフランジ部１５において容器本体１の内側に向かっ
て張り出す張出部ｈを有する構成としてもよい。この張出部ｈを設けることにより、電子
レンジで加熱調理したとき、上昇した内圧による蓋体２への剥離応力が第１の凸状部１１
、１１’の張出部ｈの内端Ｐに集中し、この張出部ｈの内端Ｐが起点となって蓋体２を第
１の凸状部１１、１１’から容易に剥離させることができ、確実に逃圧を行わせて電子レ
ンジでの加熱調理に伴う包装容器の破裂や吹きこぼれをより一層防止することができる。
【００４０】
ところで、上述した第１および第２の実施例の電子レンジ用包装容器Ａにあっては、第
１の凸状部１１、１１’および第２の凸状部１２、１２’を設けた構成のものを示したが
、フランジ部１５に第１の凸状部１１、１１’および第２の凸状部１２、１２’を設けず
、図７（ａ）、（ｂ）に示したように、フランジ部１５の周方向に沿ってヒートシールを
しない非シール部４０ｂを設け、この非シール部４０ｂの両側にフランジ部１５と蓋体２
とをヒートシールをするシール部４０ａ、４０ａを設けたり、図７（ｃ）、（ｄ）に示し
たように、フランジ部１５の周方向に沿って該フランジ部１５に凹部１３を設けてこの部
位をヒートシールをしない非シール部４０ｂとし、この凹部１３の両側にフランジ部１５
と蓋体２とをヒートシールをするシール部４０ａ、４０ａを設けてもよい。
【図面の簡単な説明】
【００４１】
【図１】本発明の第１の実施例に係る電子レンジ用包装容器を示した図である。
【図２】図１のＫ部を拡大した部分図であって、図２（ａ）は蓋体の一部を破断した平面図を、図２（ｂ）は図２（ａ）のＸ−Ｘ線で切断した断面図を、図２（ｃ）は図２（ｂ）の変形例をそれぞれ示している。
【図３】図１の電子レンジ用包装容器Ａの加熱調理前から開封時までの状態変化を示した一部拡大断面図であり、図３（ａ）は加熱調理前の状態を、図３（ｂ）は加熱調理中の状態を、図３（ｃ）は加熱調理中に蓋体が第１の凸状部から剥離した状態を、図３（ｄ）は加熱調理後の冷却時に外気を取り込む状態を、図３（ｅ）は開封時の状態をそれぞれ示している。
【図４】本発明の第２の実施例に係る電子レンジ用包装容器を示した図である。
【図５】本発明の変形例を示した図であって図１のＫ部に相当する部位の部分図であり、図５（ａ）は蓋体の一部を破断した平面図を、図５（ｂ）は図５（ａ）のＹ−Ｙ線で切断した断面図を、図５（ｃ）は図５（ｂ）の蓋体が第１の凸状部において剥離した後の図をそれぞれ示している。
【図６】本発明の他の変形例を示した図であって電子レンジ用包装容器Ａの一部を拡大した部分図であり、図６（ａ）は蓋体を取り除いた斜視図を、図６（ｂ）は図６（ａ）のＬ部において蓋体の一部を破断した平面図を、図６（ｃ）は図６（ｂ）のＺ−Ｚ線で切断した断面図をそれぞれ示している。
【図７】本発明の更に他の変形例を示した図であって電子レンジ用包装容器Ａの一部を拡大した部分図であり、図７（ａ）はフランジ部に第１および第２の凸状部を設けないものの斜視図（便宜上、蓋体を取り除いてある）を、図７（ｂ）は図７（ａ）の断面図を、図７（ｃ）はフランジ部に凹部を設けたときの斜視図（便宜上、蓋体を取り除いてある）を、図７（ｄ）は図７（ｃ）の断面図をそれぞれ示している。
【符号の説明】
【００４２】
Ａ              電子レンジ用包装容器
ｂ              内容物
ｈ              張出部
Ｓ              隙間
１              容器本体
２              蓋体
１１、１１’    第１の凸状部
１２、１２’    第２の凸状部
１５            フランジ部
１６            貫通孔
３０ａ          環状シール帯部
３０ｂ          非シール部
３１            第１の環状シール部
３２            第２の環状シール部
４０ａ          シール部
４０ｂ          非シール部
【図１】
0005320622.tif 000002
【図２】
0005320622.tif 000003
【図３】
0005320622.tif 000004
【図４】
0005320622.tif 000005
【図５】
0005320622.tif 000006
【図６】
0005320622.tif 000007
【図７】
0005320622.tif 000008